(57)【要約】  記録再生システム１００は、録画予約リスト情報に記録された予約情報を予約一覧画面として表示領域に表示させる制御をする。そして、表示された予約情報のうち少なくとも１つの予約情報が選択されたことを認識すると、番組情報テーブルに基づいて、予約情報に対応する番組基本情報を番組表画面に表示させる制御をする。これにより、利用者は、録画予約した番組と重複する番組の予約情報の有無の確認や、前後の番組の確認を容易に実施することができる。【特許請求の範囲】
【請求項１】
コンテンツの配信に関する配信情報を取得する配信情報取得手段と、
前記配信情報に基づいてコンテンツ配信表を生成する生成手段と、
コンテンツの録画を予約する予約制御手段と、
前記コンテンツの録画の予約に関する予約情報を表示手段に表示させる制御をする第一表示制御手段と、
を備えた情報処理装置において、
前記予約情報のうち少なくとも１つを選択する選択手段と、
選択された前記予約情報に対応するコンテンツに関する情報を含む前記コンテンツ配信表を前記表示手段に表示させる制御をする第二表示制御手段と、
を具備したことを特徴とする情報処理装置。
【請求項２】
請求項１に記載の情報処理装置であって、
前記予約情報は、前記コンテンツが配信される日時に関する配信日時情報を備え、
前記第二表示制御手段は、前記配信日時情報の配信日時に基づいて、選択された前記予約情報の配信日時を前記表示手段の略中心に配置させて前記コンテンツ配信表を表示させる制御をする
ことを特徴とした情報処理装置。
【請求項３】
請求項２に記載の情報処理装置であって、
前記第二表示制御手段は、前記配信日時情報の配信日時に基づいて、選択された前記予約情報の配信日時から所定の時間内の前記コンテンツ配信表を前記表示手段に表示させる制御をする
ことを特徴とした情報処理装置。
【請求項４】
請求項１ないし請求項３のいずれかに記載の情報処理装置であって、
前記予約情報は、前記情報の配信周波数に関する周波数情報を備え、
前記第二表示制御手段は、前記周波数情報の周波数に基づいて、選択された前記予約情報の配信周波数を前記表示手段の略中心に配置させて前記コンテンツ配信表を表示させる制御をする
ことを特徴とした情報処理装置。
【請求項５】
請求項１ないし請求項４のいずれかに記載の情報処理装置であって、
前記第二表示制御手段は、前記予約情報に対応する前記配信情報を前記コンテンツ配信表の他の配信情報とは異なる表示形態で表示させる制御をする
ことを特徴とした情報処理装置。
【請求項６】
請求項５に記載の情報処理装置であって、
前記表示手段に複数の前記予約情報に対応する配信情報が表示されるか否かを判断する判断手段を備え、
前記第二表示制御手段は、前記判断手段にて複数の予約情報に対応する前記配信情報が表示されていると判断されると、前記選択手段にて選択された前記予約情報に対応する前記配信情報を、他の予約情報に対応する前記配信情報とは異なる表示形態にて表示させる制御をする
ことを特徴とした情報処理装置。
【請求項７】
請求項６に記載の情報処理装置であって、
前記判断手段は、配信時間が重複する前記予約情報の数が、同時に録画可能な前記コンテンツの数である録画可能件数より多い場合、これらの予約情報を重複する予約情報であると判断し、
第二表示制御手段は、前記判断手段にて前記予約情報が重複する予約情報であると判断された場合、この配信日時が略重複する前記予約情報に対応する配信情報を、前記選択された予約情報に対応する配信情報および前記他の予約情報に対応する配信情報とは異なる表示形態にて表示させる制御をする
ことを特徴とした情報処理装置。
【請求項８】
請求項１ないし請求項７のいずれかに記載の情報処理装置であって、
前記第二表示制御手段にて前記表示手段に表示される前記予約情報に対応する配信情報のうち少なくとも１つの配信情報を選択する配信情報選択手段を具備し、
前記第一表示制御手段は、前記選択された配信情報に対応する予約情報を前記表示手段に表示させる制御をする
ことを特徴とした情報処理装置。
【請求項９】
請求項１ないし請求項７のいずれかに記載の情報処理装置であって、
前記第二表示制御手段にて前記表示手段に表示される前記配信情報のうち少なくとも１つの配信情報を選択する配信情報選択手段を具備し、
前記予約制御手段は、前記選択された配信情報に対応するコンテンツの録画を予約する
ことを特徴とした情報処理装置。
【請求項１０】
コンテンツの配信に関する配信情報を取得し、
前記配信情報に基づいてコンテンツ配信表を生成し、
前記コンテンツの録画を予約し、
前記コンテンツの各々の予約に関する予約情報を表示手段に表示させる制御をし、
前記予約情報を選択し、
選択された前記予約情報に対応するコンテンツを含む前記コンテンツ配信表を前記表示手段に表示させる制御をする
ことを特徴とした情報処理方法。
【請求項１１】
演算手段を請求項１ないし請求項９のいずれかに記載の情報処理装置として機能させる
ことを特徴とした情報処理プログラム。
【請求項１２】
請求項１０に記載の情報処理方法を演算手段に実施させる
ことを特徴とした情報処理プログラム。
【請求項１３】
請求項１１または請求項１２に記載の処理プログラムが演算手段にて読取可能に記録された
ことを特徴とした情報処理プログラムを記録した記録媒体。
【発明の詳細な説明】
【技術分野】
【０００１】
本発明は、情報を処理する情報処理装置、情報処理方法、情報処理プログラム、およびそのプログラムを記録した記録媒体に関する。
【背景技術】
【０００２】
従来、放送局などから配信されるＥＰＧ（Electric Program Guide）を取得して、このＥＰＧに基づいて所望の放送番組を記録する構成が知られている（例えば、特許文献１参照）。【０００３】
この特許文献１に記載のものは、プロファイル抽出機にてユーザの入力器の操作状況を逐次監視し、監視した操作状況に基づいてユーザの嗜好を直接的間接的に表すデータの集合であるユーザプロファイルを生成する。また、このユーザプロファイルに基づいて番組表管理器から出力される番組表情報に示される番組からユーザが視聴を希望すると判断される番組の候補を選択し、投機録画候補番組リストを生成する。そして、投機録画管理器は投機選択器から出力される投機録画候補番組リストに基づいて記憶管理器に対して投機録画対象番組の録画を支持する構成が採られている。【０００４】
【特許文献１】特開２００４−４８７１８号公報(第１０頁ないし第１４頁、図２ないし図４参照)
【発明の開示】
【発明が解決しようとする課題】
【０００５】
ところで、特許文献１に記載のような従来の構成で利用される投機録画候補番組リストは、ユーザの嗜好が強いと判断される番組に関する情報である。このため、このような投機録画候補番組リストから、この投機録画候補番組リストに登録された番組が放送される放送時刻と略同時刻における他のチャンネルで放送される番組や、登録された番組の前後に放送される番組などの放送状態を確認できない。したがって、利用者は、このような放送状態を確認するために、別途番組の放送予定に関する情報を確認する必要があり、煩雑であるという問題が一例として挙げられる。【０００６】
本発明は、情報の状態の確認を容易にする情報処理装置、情報処理方法、情報処理プログラム、およびそのプログラムを記録した記録媒体を提供することを１つの目的とする。
【課題を解決するための手段】
【０００７】
本発明の情報処理装置は、コンテンツの配信に関する配信情報を取得する配信情報取得手段と、前記配信情報に基づいてコンテンツ配信表を生成する生成手段と、コンテンツの録画を予約する予約制御手段と、前記コンテンツの各々の予約に関する予約情報を表示手段に表示させる制御をする第一表示制御手段と、を備えた情報処理装置において、前記予約情報のうち少なくとも１つを選択する選択手段と、選択された前記予約情報に対応するコンテンツを含む前記コンテンツ配信表を前記表示手段に表示させる制御をする第二表示制御手段と、を具備したことを特徴とする。【０００８】
本発明の情報処理方法は、コンテンツの配信に関する配信情報を取得し、前記配信情報に基づいてコンテンツ配信表を生成し、前記コンテンツの録画を予約し、前記コンテンツの各々の予約に関する予約情報を表示手段に表示させる制御をし、前記予約情報を選択し、選択された前記予約情報に対応するコンテンツを含む前記コンテンツ配信表を前記表示手段に表示させる制御をすることを特徴とする。【０００９】
本発明の情報処理プログラムは、演算手段を前述した本発明の情報処理装置として機能させることを特徴とする。【００１０】
本発明の情報処理プログラムは、前述した本発明の情報処理方法を演算手段に実施させることを特徴とする。【００１１】
本発明の情報処理プログラムを記録した記録媒体は、前述した本発明の処理プログラムが演算手段にて読取可能に記録されたことを特徴とする。
【図面の簡単な説明】
【００１２】
【図１】本実施の形態におけるコンテンツ記録再生システムの概略構成を示すブロック図である。
【図２】ＥＰＧ記憶領域に記憶される番組情報テーブルの概略構成を示す模式図である。
【図３】録画予約リスト情報の概略構成を示す模式図である。
【図４】記録再生装置を構成するＣＰＵの概略構成を示す模式図である。
【図５】予約一覧画面の一例を示す模式図である。
【図６】番組表表示画面の一例を示す模式図である。
【図７】予約一覧画面と番組表画面との画面切替処理に関するフローチャートである。
【符号の説明】
【００１３】
２００      情報処理装置としての記録再生装置
２１０      配信情報取得手段としての通信手段
２９０      演算手段としても機能するＣＰＵ
２９１      選択手段および配信情報選択手段としても機能する要求情報認識手段
２９４      判断手段としても機能する
２９５      第一表示制御手段、および第二表示制御手段としても機能する表示制御手段
２９６      予約制御手段としての番組予約手段
３２１      表示手段としての表示領域
４００      コンテンツ配信表としての番組情報テーブル
４３０      配信情報としての番組基本情報
５２０      予約情報
【発明を実施するための最良の形態】
【００１４】
以下に、本発明の一実施の形態を図面に基づいて説明する。本実施の形態では、本発明の情報処理装置を備えた記録再生装置を例示して説明するが、これに限らず、情報を記録するのみの記録装置、さらには記録装置や記録再生装置に情報を記録させる独立した情報処理装置、記録する構成を備えないテレビジョンなどの受信機などで情報の取得である受信を制御する情報処理装置などとしても適用できる。また、本実施の形態において、放送番組のコンテンツの配信に関する情報である例えば配信情報としてのＥＰＧ（Electric Program Guide）である電子番組案内に基づいて取得する処理に関して説明するが、これに限らず、ラジオ放送番組、衛星放送番組、配信される音楽や映像などのコンテンツ、ゲームソフトウェアなどの各種プログラムなどを配信される情報の対象とすることができ、各情報の内容に関する内容情報に基づいて取得するいずれの構成が適用できる。また、情報の取得である記録する処理としてコンテンツを録画する処理と適宜称し、情報の処理としてコンテンツを再生する処理と適宜称して説明する。【００１５】
〔コンテンツ記録再生システムの構成〕
図１において、１００はコンテンツ記録再生システム（以下、記録再生システムと称す）であり、例えばＴＶ（Television）番組などのコンテンツの音声情報、映像情報、情報放送用情報などを有する情報であるコンテンツ情報を記録したり、記録したコンテンツ情報を再生したりするシステムである。そして、記録再生システム１００は、情報処理装置としての記録再生装置２００と、出力装置３００と、を備えている。【００１６】
出力装置３００は、例えばパーソナルコンピュータ、テレビジョン、携帯電話、ＰＨＳ（Personal Handyphone System）、ＰＤＡ（Personal Digital Assistant）などが例示できる。この出力装置３００は、記録再生装置２００から出力されるコンテンツ情報を受信して出力する。そして、この出力装置３００は、音声出力部３１０と、表示部３２０と、などを備えている。【００１７】
音声出力部３１０は、例えば図示しないスピーカなどの発音手段を有している。この音声出力部３１０は、記録再生装置２００からアナログ信号として送信される音声情報を発音手段から音声として出力させる処理をする。なお、発音手段は、例えば図示しないＴＶ受信機で受信したＴＶ音声情報などをも適宜出力可能である。【００１８】
表示部３２０は、記録再生装置２００からアナログ信号として送信される映像情報、放送用情報、ＥＰＧ情報、合成情報、設定情報などを表示させる。ここで、表示させる映像情報としては、コンテンツの映像などが例示できる。また、放送用情報としては、コンテンツの字幕や情報放送などが例示できる。さらに、ＥＰＧ情報としては、例えば各チャンネルで放送されるコンテンツの番組名、内容、放送開始日時などが記載された電子番組案内である番組表などが例示できる。また、合成情報としては、コンテンツの映像に字幕を重畳させた合成映像や、情報放送と番組表とを並べた映像などが例示できる。さらに、設定情報としては、放送番組のジャンルを選択させる旨のジャンル選択映像や、記録再生装置２００にて処理された放送番組の一覧表などが例示できる。この表示部３２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。なお、表示部３２０は、例えばＴＶ受信機で受信したＴＶ映像情報などをも適宜出力可能である。【００１９】
記録再生装置２００は、ＴＳ（Transport Stream）として配信される音声情報、映像情報、情報放送用情報などを有するコンテンツ情報を取得して記録させるとともに、出力装置３００で出力させる処理をする。また、記録再生装置２００は、記録させたコンテンツ情報を適宜再生して出力装置３００で出力させる処理をする。さらに、記録したコンテンツ情報を適宜自動消去する。そして、この記録再生装置２００は、配信情報取得手段としての通信手段２１０と、デマルチプレクサ（Demultiplexer；Ｄｅｍｕｘ）２２０と、コンテンツ配信表生成手段としての機能するデコーダ２３０と、記録再生処理手段２５０と、入力手段２６０と、記憶手段としてのハードディスクドライブ（Hard Disk Drive；ＨＤＤ）２７０と、メモリ２８０と、演算手段としてのＣＰＵ（Central Processing Unit）２９０と、などを備えている。【００２０】
通信手段２１０は、外部から入力されるコンテンツ情報などの各種情報を取得したり、取得しているコンテンツ情報などの各種情報を外部へ適宜出力したりする。そして、この通信手段２１０は、例えば地上波デジタル放送や衛星デジタル放送などの放送波を受信するアンテナ２１１が接続され、アンテナ２１１からアナログ信号やデジタル信号として送信される情報、例えば複数のＴＳから利用者により選択されたコンテンツに対応するＴＳを取得する。そして、通信手段２１０は、取得したＴＳをＤｅｍｕｘ２２０へ出力する。また、通信手段２１０は、高速情報処理が可能な例えばＩＥＥＥ（Institute of Electrical and Electronic Engineers）１３９４規格のインターフェースを有し、記録再生装置２００の外部に設けられた図示しない外部装置からデジタル信号として送信されるＴＳや後述するパーシャルＴＳなどを取得し、Ｄｅｍｕｘ２２０へ出力する。さらに、通信手段２１０は、記録再生処理手段２５０から出力されるパーシャルＴＳを取得し、適宜処理して記録再生装置２００の外部に設けられた図示しない外部装置へデジタル信号として送信する。【００２１】
Ｄｅｍｕｘ２２０は、デコーダ２３０と、記録再生処理手段２５０と、ＣＰＵ２９０と、などが接続され、通信手段２１０からＴＳを取得し、この取得したＴＳからＴＳパケットを適宜分離して出力する。具体的には、Ｄｅｍｕｘ２２０は、ＣＰＵ２９０の制御により、音声情報が組み込まれたＴＳパケット（以下、音声パケットと称す）と、映像情報が組み込まれたＴＳパケット（以下、映像パケットと称す）と、情報放送用情報または配信情報としてのＥＰＧ情報などが組み込まれたＴＳパケット（以下、情報パケットと称す）と、を取得する。そして、Ｄｅｍｕｘ２２０は、これら取得した音声パケットと、映像パケットと、情報パケットと、をデコーダ２３０へ出力する。また、Ｄｅｍｕｘ２２０は、ＣＰＵ２９０の制御により、取得したＴＳから選択されたコンテンツに対応した各ＴＳパケットを取得すると、これら各ＴＳパケットを一連の情報列構造のＴＳ、すなわちパーシャルＴＳに再構成し、記録再生処理手段２５０へ出力する。さらに、Ｄｅｍｕｘ２２０は、ＣＰＵ２９０の制御により、通信手段２１０や記録再生処理手段２５０からパーシャルＴＳを適宜取得すると、このパーシャルＴＳを、音声パケットと、映像パケットと、情報パケットと、に分離してデコーダ２３０へ出力する。【００２２】
ここで、ＥＰＧ情報は、通信手段２１０で取得可能な各ＴＳの放送番組などのコンテンツに関する情報が、例えばＢＭＬ（Broadcast Markup Language）やＸＭＬ（eXtensible Markup Language）などのテキスト形式で記載された情報である。すなわち、ＥＰＧ情報は、詳細は後述するが、番組名、番組の内容などに関する番組記述、放送開始日時、番組時間の長さ、チャンネル番号、ジャンル、シリーズ名などの情報が、１つの情報構造として構成されている。【００２３】
デコーダ２３０は、Ｄｅｍｕｘ２２０と、ＣＰＵ２９０と、出力装置３００と、などに接続され、Ｄｅｍｕｘ２２０から取得した各パケットを適宜復調し、出力装置３００へ適宜出力する。具体的には、デコーダ２３０は、ＣＰＵ２９０の制御により、Ｄｅｍｕｘ２２０から音声パケットを取得し、この音声パケットに組み込まれた音声情報を復調して、アナログ信号として出力装置３００の音声出力部３１０へ送信したり、Ｄｅｍｕｘ２２０から映像パケットを取得し、この映像パケットに組み込まれた映像情報を復調して、出力装置３００へ出力したり、Ｄｅｍｕｘ２２０から情報パケットを取得し、この情報パケットに組み込まれた情報放送用情報やＥＰＧ情報などを復調して、出力装置３００へ出力する。また、デコーダ２３０は、情報パケットにＥＰＧ情報が組み込まれている場合、ＣＰＵ２９０の制御により、このＥＰＧ情報から図２に示すような番組情報テーブル４００を生成してＨＤＤ２７０へ適宜出力する。【００２４】
記録再生処理手段２５０は、ＨＤＤ２７０と、ＣＰＵ２９０と、などに接続されている。そして記録再生処理手段２５０は、Ｄｅｍｕｘ２２０からパーシャルＴＳを適宜取得してＨＤＤ２７０へ記憶させたり、ＨＤＤ２７０へ記憶させたパーシャルＴＳを適宜取得して通信手段２１０やＤｅｍｕｘ２２０へ出力したりする。【００２５】
入力手段２６０は、ＣＰＵ２９０などに接続されている。この入力手段２６０は、図示しないケース体の例えば正面に臨んで入力操作可能に配設された図示しない各種操作ボタンや操作つまみなどを有している。この操作ボタンや操作つまみの入力操作の内容としては、例えば記録再生装置２００の動作内容の設定などの設定事項である。具体的には、所望の放送番組を検索させるためのジャンル選択に関する設定、コンテンツの録画や再生に関する設定、通信手段２１０で受信するＴＳの設定などが例示できる。また、入力手段２６０は、入力操作に応じて、放送番組の検索の実施や録画や再生の実施を要求する旨の後述する要求情報を生成する手段としても機能する。そして、入力手段２６０は、設定事項の入力操作により、各種情報を操作信号としてＣＰＵ２９０へ送信して設定させる。ここで、入力手段２６０としては、例えば図示しないリモートコントローラより赤外線を介して送信される各種情報を受信して、この各種情報を操作信号としてＣＰＵ２９０へ送信するリモートコントローラ受光部を備えた構成などとしてもよい。【００２６】
ＨＤＤ２７０は、ＣＰＵ２９０などに接続されている。このＨＤＤ２７０は、例えばＡＴＡ（AT Attachment）インターフェースにより制御される。なお、ここではＨＤＤ２７０がＡＴＡインターフェースにより制御される構成について例示するが、ＩＤＥ（Integrated Drive Electronics）インターフェースやＳＣＳＩ（Small Computer System Interface）インターフェースなどで制御される構成としてもよい。また、ＨＤＤ２７０の代わりに、ＤＶＤ（Digital Versatile Disc）などの光ディスク、光磁気ディスク、メモリカードなどの着脱可能、さらには固定のメモリなど、各種記録媒体に各種情報を読み出し可能に記憶するドライブやドライバなどを備えた構成などとしてもよい。そして、ＨＤＤ２７０は、記録再生処理手段２５０から入力されるコンテンツのパーシャルＴＳ、すなわちコンテンツ情報やＥＰＧ情報などを適宜読み出し可能に記憶する。すなわち、ＨＤＤ２７０には、コンテンツ情報を記憶する図示しない情報記憶領域と、ＥＰＧ情報を図２に示すようなデータ配信情報としての番組情報テーブル４００として記憶するＥＰＧ記憶領域と、録画予約された番組に関する録画予約リスト情報５００を記憶する録画予約リスト記憶領域と、などを備えている。なお、これら情報記憶領域、ＥＰＧ記憶領域、録画予約リスト記憶領域などは、メモリ２８０に記憶されて構築される構成としてもよい。【００２７】
番組情報テーブル４００は、デコーダ２３０にてＥＰＧ情報に基づいて生成されてＨＤＤ２７０に出力される。ここで、各放送局から発信される放送波に含まれるＥＰＧは、その放送局で放送予定のＴＶ放送番組を中心とした番組情報である。また、番組情報テーブル４００で各種情報が示されるＴＶ放送番組のコンテンツ情報が本発明の所定の情報として機能する。番組情報テーブル４００は、このような各放送局のＥＰＧを組み合わせたテーブル構造としてＥＰＧ記憶領域に記憶される。そして、この番組情報テーブル４００を記憶するＥＰＧ記憶領域は、例えば、ＴＶ放送番組の放送チャンネルに関するチャンネル情報４２０と、配信情報としての番組基本情報４３０と、などが関連付けられて１つの情報構造として構成される番組情報４１０を複数記録するテーブル構造に構成されている。なお、番組情報テーブル４００の構造としては、複数の番組情報４１０をリスト形式に記録されているものであってもよく、記録される記録構造には特に限定されない。【００２８】
チャンネル情報４２０は、ＴＶ放送番組が放送されるチャンネルに関する情報である。このチャンネル情報４２０は、ＴＶ放送番組が放送されるエリアによってそれぞれ個別に設定される。【００２９】
番組基本情報４３０は、ＴＶ放送番組の放送時間や、番組内容に関する詳細な情報などが記録されている。そして、番組基本情報４３０は、例えば番組ＩＤ情報４３１と、特性情報としての番組開始時刻情報４３２と、特性情報としての配信時間情報としての番組終了時刻情報４３３と、内容情報としての番組タイトル情報４３４と、番組サブタイトル情報４３５と、内容情報としての番組ジャンル情報４３６と、番組記述情報４３７と、などを備え、１つの情報構造として構成されている。この番組基本情報４３０に記載される各種情報は、例えばテキスト形式すなわち文字列の簡単な構造で記述されている。【００３０】
番組ＩＤ情報４３１は、ＴＶ放送番組を特定するために、各番組基本情報４３０に付与される固有の識別情報である。この番組ＩＤ情報４３１には、例えば、ＴＶ放送番組の録画予約時において、ＴＶ放送番組を識別するために用いられる、任意に割り当てられたユニークな識別値、または識別コードである。【００３１】
番組開始時刻情報４３２は、ＴＶ放送番組の放送が開始される予定時刻に関する情報である。この番組開始時刻情報４３２には、ＴＶ放送番組が放送される年月日、および時刻が記載されている。この番組開始時刻情報４３２は、放送番組の録画開始において参照される。【００３２】
番組終了時刻情報４３３は、ＴＶ放送番組の放送が終了する予定時刻に関する情報である。この番組終了時刻情報４３３には、ＴＶ放送番組の放送が終了する年月日、および時刻が記載されている。この番組終了時刻情報４３３は、放送番組の録画終了の処理において参照される。【００３３】
番組タイトル情報４３４は、ＴＶ放送番組の番組名や、タイトル名などの名称に関する情報である。番組サブタイトル情報４３５は、ＴＶ放送番組のサブタイトル名などの名称に関する情報である。【００３４】
番組ジャンル情報４３６は、ＴＶ放送番組を内容毎に種別であるジャンル分けした場合に、どのジャンルに属するかを記述した情報である。このジャンルとしては、例えば、「バラエティ（Variety show）」、「ドラマ」、「映画」、「報道」、「ニュース」、「スポーツ」などが例示できる。また、番組ジャンル情報４３６として、例えば「バラエティ」に対して、「歌謡」、「演芸」などの小分類としてさらにジャンル分けされた情報が関連付けられていてもよい。【００３５】
番組記述情報４３７は、例えばＴＶ放送番組の放送内容を簡単に説明した記述、あるいは放送番組のあらすじ、また、出演者や監督、脚本家などの個人名称などのＴＶ放送番組の詳細な内容がテキスト形式で記述された情報である。【００３６】
録画予約リスト情報５００は、手動予約録画や自動予約録画のリストに関する情報である。この録画予約リスト情報５００は、配信内容情報、および記録予定情報としての予約数情報５１０と、少なくとも１つの予約情報５２０と、などが１つのデータ構造として関連付けられて構成されている。ここで、手動予約録画とは、番組の放送開始時刻や放送終了時刻、放送チャンネル等の録画に必要な情報を指定して録画予約を行うものである。また、自動予約録画とは、電子番組案内（ＥＰＧ）から番組を選択して録画予約を行うことで、自動的に上記のような録画に必要な情報が設定されて録画予約を行うことを指す。なお、自動録画予約の他の例としては、予め自身の嗜好に基づく特定のキーワード（例えば好きな俳優の名前など）を設定しておくことで、自動的に電子番組案内からそのキーワードに関連する番組を検索して、自動的に録画予約設定を行う方式なども考えられる。他の録画予約手段としては、Ｇコード入力なども考えられるが、これら他の様々な録画設定手段を手動予約録画か自動予約録画として取り扱うかは、任意である。【００３７】
予約数情報５１０は、予約情報５２０の総数に関する情報である。この予約数情報５１０は、ＣＰＵ２９０による手動録画予約や自動録画予約が追加される設定により１だけ加算され、手動録画予約や自動録画予約に基づいた録画が終了した際などに１だけ減算される。【００３８】
予約情報５２０は、手動録画予約または自動録画予約に関する情報である。この予約情報５２０は、ＣＰＵ２９０により、手動録画予約や自動録画予約が設定された際に録画予約リスト情報５００に組み込まれ、手動録画予約や自動録画予約に基づいた録画が終了した際などに録画予約リスト情報５００から削除される。そして、予約情報５２０は、録画基本情報５２１と、自動録画予約フラグ５２２と、などが１つのデータ構造として関連付けられて構成されている。【００３９】
録画基本情報５２１は、手動予約録画処理や自動予約録画処理を実施するために必要な各種情報である。具体的には、録画基本情報５２１は、配信日時情報としての録画開始日時と、配信日時情報としての録画終了日時と、周波数情報としてのチャンネル番号と、などが１つのデータ構造として関連付けられて構成されている。そして、この録画基本情報５２１は、ＣＰＵ２９０により適宜変更される。【００４０】
自動録画予約フラグ５２２は、録画基本情報５２１に基づく録画処理が自動予約録画処理か否かを示すフラグ情報である。具体的には、自動録画予約フラグ５２２が「０」であれば自動予約録画処理ではなく手動録画予約処理であることを示し、「１」であれば自動録画予約処理であることを示す。【００４１】
メモリ２８０は、通信手段２１０から出力されるＴＳから所望のコンテンツ情報を取得して記録する際や、記録したコンテンツ情報を再生する際に必要な各種情報などを適宜読み出し可能に記憶する。また、メモリ２８０は、上述したように、各種記録媒体に各種情報を読み出し可能に記憶するドライブやドライバなどを備えた構成などとしてもよい。【００４２】
ＣＰＵ２９０は、各種構成が接続され、各構成の動作を制御する。このＣＰＵ２９０は、例えば図４に示すように、各種プログラムとして、選択手段および配信情報選択手段としても機能する要求情報認識手段２９１と、予約情報認識手段２９２と、対応番組認識手段２９３と、判断手段としての重複予約認識手段２９４と、第一表示制御手段、および第二表示制御手段としても機能する表示制御手段２９５と、予約制御手段としての番組予約手段２９６と、記録再生手段２９７と、などを備えている。【００４３】
要求情報認識手段２９１は、入力手段２６０における所定の入力操作で設定入力された要求情報を取得する。この要求情報は、表示領域３２１に表示された予約情報５２０または番組基本情報４３０のうちから１つを選択する旨の要求情報や、録画予定の番組のリストである録画予約リスト情報５００を表示させる旨の要求に関する情報や、所定の日時における番組表を表示させる旨の要求に関する情報、所定の放送番組を録画する旨の要求に関する情報や、所定の番組を出力装置３００にて出力させて再生させる旨の要求に関する情報、さらには、ＨＤＤ２７０に記憶されているコンテンツ情報を削除させる要求に関する情報などである。【００４４】
予約情報認識手段２９２は、要求情報認識手段２９１にて録画予定の番組を確認する画面を表示させる旨の要求情報が認識された場合に、ＨＤＤ２７０に記録された録画予約リスト情報５００を認識する。また、予約情報認識手段２９２は、利用者の入力操作により録画予約リスト情報５００のうちから予約情報５２０を選択する旨の要求情報を認識すると、この選択された予約情報５２０を認識し、この予約情報５２０の録画基本情報５２１を読み込む。また、予約情報認識手段２９２は、読み込んだ録画基本情報５２１を適宜メモリ２８０に読み出し可能に記憶する。【００４５】
対応番組認識手段２９３は、予約情報認識手段２９２にて読み込んだ録画基本情報５２１に基づいて、予約情報５２０に対応する番組を番組情報テーブル４００から認識する。具体的には、対応番組認識手段２９３は、予約情報認識手段２９２にて選択された予約情報５２０の録画基本情報５２１を認識し、この録画基本情報５２１の録画開始日時、録画終了日時、チャンネル番号などの情報を認識する。そして、番組情報テーブル４００に基づいて、録画基本情報５２１のチャンネル番号と同一のチャンネル情報４２０、および録画基本情報５２１の録画開始日時と略同一となる番組開始時刻情報４３２を有する番組基本情報４３０を認識する。この時、録画基本情報５２１に記録される番組の放送時間枠、すなわち番組開始日時から番組終了日時までの時間が、番組基本情報４３０の番組開始時刻情報４３２から番組終了時刻情報４３３までの時間と一致する必要はない。つまり、対応番組認識手段２９３は、録画基本情報５２１にて認識した番組の放送時間枠が、番組情報テーブル４００において、どの放送時間枠に位置するかを認識する。【００４６】
重複予約認識手段２９４は、予約情報認識手段２９２にて認識した録画予約リスト情報５００のうちから、選択された予約情報５２０と放送時間枠が重複する予約情報５２０を認識する。ここで、「重複する」とは、記録再生装置２００が同時に録画可能な録画可能件数を超えた件数の録画予約が、同一時間帯に設定されている場合のことを指す。具体的には、同時に録画可能な件数とは、記録再生装置２００が同時に録画を実行できる件数のことを指す。例えば、（１）通信手段２１０が同時に取得できるコンテンツ情報の数や、（２）ＴＶ放送を受信するチューナの数、（３）ＨＤＤ２７７に同時に書き込めるコンテンツ情報の件数、などがこの値として例示できるが、これらの例の他にも記録再生装置２００がその能力上同時に録画処理可能な件数のことを広く意味する。重複予約認識手段２９４は、選択された予約情報５２０の番組開始日時および番組終了日時を認識する。そして、この選択された予約情報５２０の番組開始日時から番組終了日時までの放送時間枠に録画開始日時または録画終了時刻日時が設定された予約情報５２０があるか否かを判断する。また、この選択された予約情報５２０の番組開始日時から番組終了日時までの放送時間枠を含む予約情報５２０があるか否か、すなわち、選択された予約情報５２０の番組開始時刻日時以前に番組開始時刻日時が設定されるとともに選択された予約情報５２０の番組終了時刻日時以降に番組終了日時が設定された予約情報５２０があるか否かを判断する。【００４７】
そして、重複予約認識手段２９４は、予約情報５２０の番組開始日時から番組終了日時までの放送時間枠に録画開始日時または録画終了時刻日時が設定された予約情報５２０がある、または、選択された予約情報５２０の番組開始日時から番組終了日時までの放送時間枠を含む予約情報５２０があると判断した場合、これらの予約情報５２０を予約情報５２０と重複する重複予約番組と認識する。つまり記録再生装置２００に搭載された通信手段２１０が同時に受信できるコンテンツ情報の数が１つの場合には、放送時間の重複した番組が２つ予約されるとそれらは重複した状態した状態といえる。同様に、通信手段２１０が同時に受信できるコンテンツ情報の数が２つの場合には、放送時間の重複した番組が３つ予約されるとそれらは重複した状態した状態といえる。【００４８】
表示制御手段２９５は、要求情報認識手段２９１にて、例えば録画予約リスト情報５００を表示させる旨の要求情報を認識すると、予約情報認識手段２９２にて認識した録画予約リスト情報５００に基づいて、図５に示すような予約一覧画面６００の表示形態を適宜設定して、出力装置３００の表示部３２０の表示手段としての表示領域３２１で適宜表示させる制御をする。また、表示制御手段２９５は、予約情報認識手段２９２にて、所定の予約情報５２０を選択する旨の信号を認識した場合、または要求情報認識手段２９１にて、番組の放送予定に関する番組表を表示させる旨の要求情報を認識した場合、図６に示すような番組表画面７００を適宜設定して表示領域３２１に表示させる制御をする。【００４９】
また、表示制御手段２９５は、予約一覧画面６００において、利用者の設定入力による所定の予約情報５２０を選択する旨の信号を認識すると、対応番組認識手段２９３にて認識した番組基本情報４３０が表示領域３２１の略中央に配置されるように番組表画面７００を表示させる制御をする。すなわち、表示制御手段２９５は、対応番組認識手段２９３にて認識した番組基本情報４３０の番組開始時刻情報４３２および番組終了時刻情報４３３に基づいて、この番組基本情報４３０の放送時間枠を認識し、この放送時間枠が表示領域３２１の略中央に配置されるように番組表画面７００を設定して表示させる。また、表示制御手段２９５は、対応番組認識手段２９３にて認識した番組基本情報４３０のチャンネル情報４２０が表示領域３２１の略中央に配置されるように番組表画面７００を設定して表示させる。【００５０】
さらに、表示制御手段２９５は、要求情報認識手段２９１にて、例えば番組の手動録画処理を実施する旨の要求情報を認識すると、図示しない録画予約設定画面を表示させる。なお、表示制御手段２９５は、予約一覧画面６００および番組表画面７００、録画リスト画面６００および録画予約設定画面を切り替えるだけでなく、さらに番組表画面７００および録画予約設定画面を切り替える制御をする構成としてもよい。【００５１】
ここで、表示制御手段２９５により表示領域３２１に表示される予約一覧画面６００を説明する。予約一覧画面６００は、図５に示すように、録画予約リスト表示領域６１０などを備えている。【００５２】
録画予約リスト表示領域６１０は、予約一覧画面６００の略中央に設けられている。この録画予約リスト表示領域６１０は、上下方向に略等分割された複数の録画予約表示領域６２０を備えている。そして、この録画予約表示領域６２０には、録画予約リスト情報５００の予約情報５２０が表示される。すなわち、録画予約表示領域６２０の左側には、予約情報５２０に対応する番組の番組タイトル名情報６２０Ａと、予約情報５２０の録画基本情報５２１の番組開始日時、および番組終了日時に基づいた放送時間枠情報６２０Ｂと、などが表示される。そして、録画予約表示領域６２０の右側には、予約情報５２０の録画基本情報５２１のチャンネル番号に基づいて放送チャンネル情報６２０Ｃが表示される。なお、番組タイトル名情報６２０Ａは、予約情報５２０の自動録画予約フラグ５２２が例えば「０」であって、ＣＰＵ２９０による自動録画予約処理であることを示している場合に表示され、手動録画予約処理により録画予約された予約情報５２０である場合には、表示されない構成としてもよい。【００５３】
また、録画予約表示領域６２０の左側には、録画予約リスト表示領域６１０に表示される予約情報５２０のうち、いずれか１つを選択する旨の選択カーソルマーク６２０Ｄが表示される。そして、この録画予約リスト表示領域６１０の右側には、現在表示される予約情報５２０の他に予約情報５２０があるか否かを示すスクロールバー６２０Ｅが表示される。さらに、録画予約表示領域６２０の最下部には、録画予約を新たに追加するか否かを示す新規入力情報６３０が表示される。【００５４】
次に、表示制御手段２９５の制御により表示領域３２１に表示される番組表画面７００の画面構成を説明する。番組表画面７００は、図６に示すように、番組表表示領域７１０と、番組内容表示領域７６０と、などを備えている。【００５５】
番組表表示領域７１０には、番組基本情報４３０が表形式にて表示されている。すなわち、番組表表示領域７１０には、左右方向にチャンネル情報７２０が表示され、上下方向に時間情報７３０が表示される。そして、チャンネル情報７２０の各チャンネル番号に応じた番組チャンネル情報４２０に対応する番組情報４１０が時間情報７３０に対応させて、例えば番組基本情報４３０の番組タイトル情報４３４が上下方向に並べて表示される。【００５６】
また、この時、番組表表示領域７１０には、選択予約情報、すなわち、予約一覧画面６００において選択カーソルマーク６２０Ｄにて選択された予約情報５２０に対応する番組基本情報４３０が番組表表示領域７１０の略中心に表示される。この時、番組表表示領域７１０には、この選択予約情報に対応する番組基本情報４３０を中心として、所定の時間内に放送される番組、例えば図６の例では、選択予約情報に対応する番組の前後２時間に放送される番組に関する番組基本情報４３０が表示される。【００５７】
さらに、番組表表示領域７１０には、録画予約リスト情報５００に記録された予約情報５２０に対応する番組基本情報４３０が表示される領域と、その他の番組基本情報４３０が表示される領域とが、異なる背景色にて表示される。さらに、番組表表示領域７１０には、重複予約情報に対応する番組基本情報４３０が表示される領域と、その他の予約情報５２０に対応する番組基本情報４３０が表示される領域とが、異なる背景色にて表示される。さらには、番組表表示領域７１０には、選択予約情報に対応する番組基本情報４３０が表示される領域と、重複予約情報に対応する番組基本情報４３０が表示される領域とが、異なる背景色にて表示される。ここでは、重複予約情報に対応する番組の番組基本情報４３０が表示される領域の全てを、他の領域に対して異なる背景色で表示されてもよいし、録画予約がなされた順序等に基づいて、一部の番組の番組基本情報４３０が表示される領域のみの背景色を異ならせてもよい。例えば重複予約として認識された３件の番組Ａ、Ｂ、Ｃがあった場合、これらのうち一件の予約のみを削除することで重複予約を解消できるのであれば、例えば最後に録画予約がなされた番組（例えば番組Ｃ）の番組基本情報４３０が表示される領域のみの背景色を異ならしめることで、最後の録画予約のキャンセルを促すことができる。【００５８】
そして、番組表表示領域７１０には、複数表示される番組基本情報４３０のうちいずれか１つを選択する旨のカーソル７４０が表示される。さらに、この番組表表示領域７１０の下側および右側には、現在表示されている番組基本情報４３０の他に番組基本情報４３０があるか否かを示すスクロールバー７５０が表示される。【００５９】
番組内容表示領域７６０は、カーソル７４０にて選択された番組基本情報４３０の詳細内容が記載される。すなわち、番組内容表示領域７６０には、番組基本情報４３０の番組開始時刻情報４３２、番組終了時刻情報４３３、番組タイトル情報４３４、番組サブタイトル情報４３５、番組ジャンル情報４３６、番組記述情報４３７などが表示される。【００６０】
番組予約手段２９６は、利用者の設定入力により認識した予約情報５２０を録画予約リスト情報５００に記録する。また、番組予約手段２９６は、ＣＰＵ２９０の自動録画予約処理にて設定された予約情報５２０を録画予約リスト情報５００に記録する。具体的には、番組予約手段２９６は、少なくとも録画する番組のチャンネル番号、番組開始日時、番組終了日時を認識し、録画基本情報５２１を生成する。そして、利用者の設定入力により予約処理されたかＣＰＵの自動録画予約処理により予約処理されたかを判断し、自動録画フラグを設定する。そして、生成した録画基本情報５２１にこの自動録画フラグを付加し、予約情報５２０を生成し、録画予約リスト情報５００に記録する。【００６１】
記録再生手段２９７は、通信手段２１０、Ｄｅｍｕｘ２２０、記録再生処理手段２５０などの動作を制御して、所望のＴＶ放送番組のコンテンツ情報を受信してＨＤＤ２７０に適宜読み出し可能に記憶させる処理をする。具体的には、記録再生手段２９７は、入力手段２６０における入力操作に基づく操作信号により現在受信して再生しているコンテンツ情報を記憶、あるいは、録画予約情報に基づいて計時手段２９８で計時する現在時刻が録画予約情報における録画開始日時となるコンテンツ情報を受信させて記憶させる処理をする。【００６２】
また、記録再生手段２９７は、Ｄｅｍｕｘ２２０、デコーダ２３０、記録再生処理手段２５０などの動作を制御して、所望のＴＶ放送番組のコンテンツ情報を出力装置３００へ出力して再生させる処理をする。具体的には、記録再生手段２９７は、入力手段２６０における入力操作に基づく操作信号により、例えば出力装置３００で一覧表示されるサムネイルを選択する入力操作などにて特定されたコンテンツ情報、あるいは、いわゆるタイマ再生などあらかじめ所定時間に再生要求されているコンテンツ情報をＨＤＤ２７０から読み出し、デコーダ２３０で適宜処理して出力装置３００へ出力する。【００６３】
計時手段２９８は、例えば内部クロックなどの基準パルスに基づいて現在日時を計時する。そして、この計時した現在日時に関する現在日時情報を適宜出力する。【００６４】
〔記録再生システムの動作〕
次に、記録再生システム１００の動作について、図面を参照して説明する。
｛画面切替処理}
記録再生システム１００の画面切替処理について図７に基づいて説明する。図７において、記録再生システム１００の記録再生装置２００のＣＰＵ２９０は、要求情報認識手段２９１にて利用者の入力操作により設定入力された要求情報を認識させる。そして、要求情報認識手段２９１は、この設定入力される要求情報から、予約一覧画面６００を表示領域３２１に表示させる旨の要求情報の有無を認識する（ステップＳ１０１）。そして、ステップＳ１０１において、要求情報認識手段２９１が予約一覧画面６００を表示させる旨の要求情報があると認識すると、ＣＰＵ２９０の予約情報認識手段２９２は、ＨＤＤ２７０に記録された録画予約リスト情報５００を認識する（ステップＳ１０２）。【００６５】
この後、ＣＰＵ２９０の表示制御手段２９５は、ステップＳ１０２において認識した録画予約リスト情報５００に基づいて、図５に示すような予約一覧画面６００を設定し、出力装置３００の表示部３２０の表示領域３２１に表示させる制御をする（ステップＳ１０３）。【００６６】
次に、ＣＰＵ２９０は、利用者の入力操作による設定入力に基づいて、ステップＳ１０３にて表示させた予約一覧画面６００のうちから、１つの予約情報５２０が選択されたか否かを判断する。そして、ＣＰＵ２９０の予約情報認識手段２９２は、予約情報５２０が選択されたことを認識すると（ステップＳ１０４）、この予約情報５２０を選択予約情報として適宜メモリ２８０に読み出し可能に記憶する。【００６７】
ステップＳ１０４において、ＣＰＵ２９０は、予約情報認識手段２９２にて選択予約情報が選択されたことと判断すると、この選択予約情報の録画基本情報５２１に記録されたチャンネル番号、番組開始日時、番組終了日時などを読み込む。そして、ＣＰＵ２９０の対応番組認識手段２９３は、番組情報テーブル４００から選択予約情報が放送される日の番組情報４１０を認識する。また、対応番組認識手段２９３は、予約情報５２０に対応する番組基本情報４３０を認識する（ステップＳ１０６）。【００６８】
次に、ＣＰＵ２９０は、重複予約認識手段２９４に選択予約番組と重複する予約情報５２０を認識する。すなわち、ＣＰＵ２９０の重複予約認識手段２９４は、選択予約番組の番組開始日時から番組終了日時までの放送時間枠を演算する。そして、この放送時間枠と重複する放送時間枠を有する予約情報５２０を認識する。すなわち、重複予約認識手段２９４は、番組開始日時および番組終了日時が演算した放送時間枠内にある予約情報５２０、または、番組開始日時が選択予約情報の番組開始日時以前であるとともに番組終了日時が選択予約情報の番組終了日時以降である予約情報５２０を認識する（ステップＳ１０７）。【００６９】
この後、ＣＰＵ２９０の表示制御手段２９５は、出力装置３００の表示部３２０の表示領域３２１に表示された予約一覧画面６００を番組表画面７００に切り替えて表示させる制御をする（ステップＳ１０８）。【００７０】
この時、表示制御手段２９５は、選択予約情報に対応する番組基本情報４３０の放送時間枠およびチャンネル情報４２０を略中心に配置して、選択予約情報の前後所定時間内に放送される番組、例えば前後２時間以内に放送される番組の番組基本情報４３０を番組表表示領域７１０に配置して、番組表画面７００を設定する。また、表示制御手段２９５は、録画予約リスト情報５００に記録される予約情報５２０に対応する番組基本情報４３０を表示する領域と、その他の番組基本情報４３０を表示する領域とを異なる背景色にて表示する制御をする。また、表示制御手段２９５は、ステップＳ１０７にて認識した重複予約情報に対応する番組基本情報４３０を表示する領域と、その他の予約情報５２０に対応する番組基本情報４３０を表示する領域と、を異なる背景色にて表示させる制御をする。さらに、表示制御手段２９５は、選択予約情報に対応する番組基本情報４３０が表示される領域と、重複予約情報に対応する番組基本情報４３０が表示される領域と、を異なる背景色にて表示させる制御をする。【００７１】
そして、ＣＰＵ２９０は、利用者の入力操作により、再び予約一覧画面６００を表示させる旨の要求情報が入力されたか否かを判断する（ステップＳ１０９）。そして、予約一覧画面を表示する旨の要求情報を認識した場合、ステップＳ１０２に戻り、ＣＰＵ２９０は、予約情報認識手段２９２にて録画予約リスト情報５００を認識する。【００７２】
〔記録再生システムの作用効果〕
上述したように、上記のような記録再生システム１００は、配信されるＥＰＧデータに基づいて番組情報テーブル４００を生成し、録画予約リスト情報５００に記録された予約情報５２０を予約一覧画面６００として表示領域３２１に表示させる制御をする。そして、この表示された予約情報５２０のうち少なくとも１つの予約情報５２０が選択されたことを認識すると、この予約情報５２０に対応する予約情報５２０に対応する番組基本情報４３０を含む番組表である番組表画面７００を表示させる制御をする。このため、利用者は、録画予約した番組を番組表に基づいて容易に確認することができる。また、番組表画面にて予約情報５２０を表示させることで、予約情報５２０に対応する番組の前後時間に放送される番組を容易に確認でき、さらに、この予約情報５２０と重複する予約情報５２０があるか否かを容易に確認することができる。【００７３】
また、対応番組認識手段２９３は、選択予約情報、すなわち、利用者の入力操作により選択された予約情報５２０の番組開始日時、番組終了日時、チャンネル番号を認識する。そして、この選択予約情報に対応する番組の放送時間枠が番組情報テーブル４００において、どの放送時間枠に位置するかを認識する。そして、表示制御手段２９５は、選択予約情報に対応する番組の放送時間枠を番組表表示領域の略中心に配置させて表示させる。このため、利用者は、選択予約番組が番組表においてどの放送時間枠に放送されるのかを容易に確認することができる。【００７４】
さらに、表示制御手段２９５は、選択予約情報に対応する番組基本情報４３０を中心として、所定の時間内に放送される番組、例えば前後２時間以内に放送される番組に関する番組基本情報４３０が表示される。このため、利用者は、選択予約情報に対応する番組の前後に放送される番組、および略同一放送時間枠に放送される番組を重点的に確認することができる。また、上記のように選択予約情報に対応する番組基本情報４３０を番組表表示領域の略中心に配置することで、選択予約情報のチャンネル番号が略中心に表示される。このため、選択予約情報に対応する番組が略中心に配置されて、選択予約情報の前後左右に放送時間枠が略同一の番組に関する番組基本情報４３０が表示できる。したがって、利用者は、選択予約情報に対応する番組と略同一時間に放送される番組や重複予約情報に対応する番組を容易に確認できる。【００７５】
また、表示制御手段２９５は、番組表表示領域７１０において、選択予約情報に対応する番組基本情報４３０が表示される領域を、その他の番組基本情報４３０が表示される領域を異なる背景色にて表示している。このため、番組表表示領域７１０において、容易に選択予約情報に対応する番組基本情報４３０が表示される領域を認識することができる。【００７６】
さらに、表示制御手段２９５は、番組表表示領域において、選択予約情報に対応する番組基本情報４３０と、重複予約情報に対応する番組基本情報４３０と、その他の予約情報５２０に対応する番組基本情報４３０と、その他の番組基本情報４３０と、を表示される領域の背景色をそれぞれ異なる色にて表示している。このため、選択予約情報に対応する番組基本情報４３０、重複予約情報に対応する番組基本情報４３０、その他の予約情報５２０に対応する番組基本情報４３０、およびその他の番組基本情報４３０が、背景色の違いにより容易に確認することができる。したがって、利用者は、容易に選択予約情報に対応する番組の前後の番組や、重複予約情報の有無などを容易に確認することができる。【００７７】
〔他の実施の形態〕
なお、本発明は、上述した各実施の形態に限定されるものではなく、本発明の目的を達成できる範囲で以下に示される変形をも含むものである。【００７８】
すなわち、配信される情報としては、放送局から配信されるＴＶの放送番組、ラジオの放送番組の他、配信される音楽や映像、ソフトウェアやゲームなどの各種データを適用することができる。【００７９】
また、上記実施の形態では、録画予約リスト情報５００に記録される予約情報５２０を認識し、予約情報５２０に対応する番組基本情報４３０を中心とした番組表画面７００を表示させる制御をしたが、これに限らない。例えば、既に録画された番組のコンテンツに関するコンテンツ情報を認識し、表示制御手段２９５は、番組表画面にて選択されたコンテンツ情報の放送日の番組表を番組表画面７００に表示させる制御をしてもよい。この場合、過去に取得したＥＰＧデータを蓄積するか、または番組を録画する際に番組情報テーブル４００を同時に記録する構成にすればよい。このような構成では、過去に録画されたコンテンツの内容を例えば番組表画面７００の番組内容表示領域７６０で確認することができる。【００８０】
さらに、表示制御手段２９５は、ステップＳ１０８において、番組表画面７００を表示させる制御をする際、選択番組情報に対応する番組基本情報４３０が表示される領域、重複番組に対応する番組基本情報４３０が表示される領域、その他の予約情報５２０に対応する番組基本情報４３０が表示される領域、その他の番組基本情報が表示される領域の背景色をそれぞれ異なる色に設定して表示させる制御をしたが、これに限定されない。例えば異なる表示文字色で表示させてもよく、異なるフォントや異なる文字サイズで表示させてもよい。その他、表示形態を変更して、それぞれの領域を区別するものであってもよい。【００８１】
また、番組表画面７００において、番組基本情報４３０が表示される領域を例えばリモートコントローラなどの入力手段にて選択することで、番組の予約処理が実施できる構成としてもよい。この場合、番組表画面７００から直接予約処理が実施できる。このような構成では、録画予約の確認と新たな予約情報の登録とを容易に同一画面にて実施できる。【００８２】
さらに、ＣＰＵ２９０の番組予約手段２９６は、番組表画面７００において、カーソル７４０にて選択された番組基本情報４３０の番組開始時刻情報４３２、番組終了時刻情報４３３、およびチャンネル情報４２０に基づいて、予約情報５２０を生成してもよい。この場合、表示制御手段２９５は、番組表画面７００から予約一覧画面６００に表示を切り替えて、番組予約手段２９６にて生成した予約情報５２０を表示させる制御をしてもよい。【００８３】
また、ＣＰＵ２９０の番組予約手段２９６は、予約一覧画面６００において、例えば新規入力情報６３０が選択されたことを認識すると、表示制御手段２９５に予約一覧画面６００から番組表画面７００に表示を切り替えさせてもよい。この場合、利用者は、番組表画面７００に表示される番組基本情報４３０を選択することで番組の予約を実施することができる。【００８４】
そして、表示制御手段２９５は、選択予約情報に対応する番組の前後所定時間以内の番組を番組表表示領域７１０に表示させる制御をしたが、これに限らない。すなわち、表示制御手段２９５は、例えば一日分の番組を番組表表示領域７１０に表示させる制御をしてもよい。また、番組表表示領域７１０に表示する番組数を利用者の設定入力により決定する構成としてもよい。このような構成では、表示制御手段２９５は、利用者が番組基本情報４３０を最も確認しやすい番組表画面７００を設定することができる。【００８５】
また、上記実施の形態では、通信手段２１０にてＥＰＧデータを受信して番組情報テーブル４００を生成したが、これに限らず、例えば、番組情報テーブル４００に記憶される番組情報４１０を直接受信してもよい。さらに。インターネットなどのネットワークを介してＥＰＧデータや番組情報４１０を受信する構成としてもよく、その他の記録媒体を介して番組情報４１０を取得する構成としてもよい。【００８６】
〔実施の形態の効果〕
上述したように、上記のような記録再生システム１００は、配信されるＥＰＧデータに基づいて番組情報テーブル４００を生成し、録画予約リスト情報５００に記録された予約情報５２０を予約一覧画面６００として表示領域３２１に表示させる制御をする。そして、この表示された予約情報５２０のうち少なくとも１つの予約情報５２０が選択されたことを認識すると、番組情報テーブル４００に基づいて、予約情報５２０に対応する番組基本情報４３０を含む番組表である番組表画面７００を表示させる制御をする。このため、利用者は、録画予約した番組と重複する番組の予約情報の有無の確認や、前後の番組の確認を容易に実施することができる。
【産業上の利用可能性】
【００８７】
本発明は、情報を処理する情報処理装置、情報処理方法、情報処理プログラム、およびそのプログラムを記録した記録媒体に利用できる。
【図１】
2006075507.tif 000002
【図２】
2006075507.tif 000003
【図３】
2006075507.tif 000004
【図４】
2006075507.tif 000005
【図５】
2006075507.tif 000006
【図６】
2006075507.tif 000007
【図７】
2006075507.tif 000008
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
コンテンツの配信に関する配信情報を取得する配信情報取得手段と、
前記配信情報に基づいてコンテンツ配信表を生成する生成手段と、
コンテンツの録画を予約する予約制御手段と、
前記コンテンツの配信日時情報を含む前記コンテンツの録画の予約に関する予約情報を表示手段に一覧表示させる制御をする第一表示制御手段と、
を備えた情報処理装置において、
前記表示手段に一覧表示された前記予約情報のうち少なくとも１つを選択する選択手段と、
選択された前記予約情報に対応するコンテンツに関する情報を含む前記コンテンツ配信表を、選択された前記予約情報の配信日時を前記表示手段の略中心に配置して前記表示手段に表示させる制御をする第二表示制御手段と、
を具備したことを特徴とする情報処理装置。
【請求項２】
（削除）
【請求項３】
請求項１に記載の情報処理装置であって、
前記第二表示制御手段は、前記配信日時情報の配信日時に基づいて、選択された前記予約情報の配信日時から所定の時間内の前記コンテンツ配信表を前記表示手段に表示させる制御をする
ことを特徴とした情報処理装置。
【請求項４】
請求項１ないし請求項３のいずれかに記載の情報処理装置であって、
前記予約情報は、前記情報の配信周波数に関する周波数情報を備え、
前記第二表示制御手段は、前記周波数情報の周波数に基づいて、選択された前記予約情報の配信周波数を前記表示手段の略中心に配置させて前記コンテンツ配信表を表示させる制御をする
ことを特徴とした情報処理装置。
【請求項５】
請求項１ないし請求項４のいずれかに記載の情報処理装置であって、
前記第二表示制御手段は、前記予約情報に対応する前記配信情報を前記コンテンツ配信表の他の配信情報とは異なる表示形態で表示させる制御をする
ことを特徴とした情報処理装置。
【請求項６】
請求項５に記載の情報処理装置であって、
前記表示手段に複数の前記予約情報に対応する配信情報が表示されるか否かを判断する判断手段を備え、
前記第二表示制御手段は、前記判断手段にて複数の予約情報に対応する前記配信情報が表示されていると判断されると、前記選択手段にて選択された前記予約情報に対応する前記配信情報を、他の予約情報に対応する前記配信情報とは異なる表示形態にて表示させる制御をする
ことを特徴とした情報処理装置。
【請求項７】
請求項６に記載の情報処理装置であって、
前記判断手段は、配信時間が重複する前記予約情報の数が、同時に録画可能な前記コンテンツの数である録画可能件数より多い場合、これらの予約情報を重複する予約情報であると判断し、
第二表示制御手段は、前記判断手段にて前記予約情報が重複する予約情報であると判断された場合、この配信日時が略重複する前記予約情報に対応する配信情報を、前記選択された予約情報に対応する配信情報および前記他の予約情報に対応する配信情報とは異なる表示形態にて表示させる制御をする
ことを特徴とした情報処理装置。
【請求項８】
請求項１ないし請求項７のいずれかに記載の情報処理装置であって、
前記第二表示制御手段にて前記表示手段に表示される前記予約情報に対応する配信情報のうち少なくとも１つの配信情報を選択する配信情報選択手段を具備し、
前記第一表示制御手段は、前記選択された配信情報に対応する予約情報を前記表示手段に表示させる制御をする
ことを特徴とした情報処理装置。
【請求項９】
請求項１ないし請求項７のいずれかに記載の情報処理装置であって、
前記第二表示制御手段にて前記表示手段に表示される前記配信情報のうち少なくとも１つの配信情報を選択する配信情報選択手段を具備し、
前記予約制御手段は、前記選択された配信情報に対応するコンテンツの録画を予約する
ことを特徴とした情報処理装置。
【請求項１０】
コンテンツの配信に関する配信情報を取得し、
前記配信情報に基づいてコンテンツ配信表を生成し、
前記コンテンツの録画を予約し、
前記コンテンツの配信日時情報を含む前記コンテンツの各々の予約に関する予約情報を表示手段に一覧表示させる制御をし、
前記表示手段に一覧表示された前記予約情報のうち少なくとも１つを選択し、
選択された前記予約情報に対応するコンテンツを含む前記コンテンツ配信表を、選択された前記予約情報の配信日時を前記表示手段の略中心に配置して前記表示手段に表示させる制御をする
ことを特徴とした情報処理方法。
【請求項１１】
演算手段を請求項１ないし請求項９のいずれかに記載の情報処理装置として機能させる
ことを特徴とした情報処理プログラム。
【請求項１２】
請求項１０に記載の情報処理方法を演算手段に実施させる
ことを特徴とした情報処理プログラム。
【請求項１３】
請求項１１または請求項１２に記載の処理プログラムが演算手段にて読取可能に記録された
ことを特徴とした情報処理プログラムを記録した記録媒体。
【手続補正２】
【補正対象書類名】明細書
【補正対象項目名】０００２
【補正方法】変更
【補正の内容】
【０００２】
を確認する必要があり、煩雑であるという問題が一例として挙げられる。
［０００６］
本発明は、情報の状態の確認を容易にする情報処理装置、情報処理方法、情報処理プログラム、およびそのプログラムを記録した記録媒体を提供することを１つの目的とする。
［課題を解決するための手段］
［０００７］
本発明の情報処理装置は、コンテンツの配信に関する配信情報を取得する配信情報取得手段と、前記配信情報に基づいてコンテンツ配信表を生成する生成手段と、コンテンツの録画を予約する予約制御手段と、前記コンテンツの配信日時情報を含む前記コンテンツの各々の予約に関する予約情報を表示手段に一覧表示させる制御をする第一表示制御手段と、を備えた情報処理装置において、前記表示手段に一覧表示された前記予約情報のうち少なくとも１つを選択する選択手段と、選択された前記予約情報に対応するコンテンツを含む前記コンテンツ配信表を、選択された前記予約情報の配信日時を前記表示手段の略中心に配置して前記表示手段に表示させる制御をする第二表示制御手段と、を具備したことを特徴とする。
［０００８］
本発明の情報処理方法は、コンテンツの配信に関する配信情報を取得し、前記配信情報に基づいてコンテンツ配信表を生成し、前記コンテンツの録画を予約し、前記コンテンツの配信日時情報を含む前記コンテンツの各々の予約に関する予約情報を表示手段に一覧表示させる制御をし、前記表示手段に一覧表示された前記予約情報のうち少なくとも１つを選択し、選択された前記予約情報に対応するコンテンツを含む前記コンテンツ配信表を、選択された前記予約情報の配信日時を前記表示手段の略中心に配置して前記表示手段に表示させる制御をすることを特徴とする。
［０００９］
本発明の情報処理プログラムは、演算手段を前述した本発明の情報処理装置として機能させることを特徴とする。
［００１０］
本発明の情報処理プログラムは、前述した本発明の情報処理方法を演算手段に実施させることを特徴とする。
［００１１］
本発明の情報処理プログラムを記録した記録媒体は、前述した本発明の処理プログラムが演算手段にて読取可能に記録されたことを特徴とする。
［図面の簡単な説明］
［００１２］
［図１］
本実施の形態におけるコンテンツ記録再生システムの概略構成を示すブロック図である。
［図２］
ＥＰＧ記憶領域に記憶される番組情報テーブルの概略構成を示す模式図である。
【国際調査報告】
2006075507.tif 000009
2006075507.tif 000010
2006075507.tif 000011
2006075507.tif 000012